(57)【要約】      （修正有）【課題】多様なパターンを実現しながらドリップコーヒーを抽出することを特徴とする自動ドリップコーヒーメーカーを提供する。【解決手段】急速加熱ヒーターとこれを通じて供給される加熱された温水を貯蔵する複数の貯蔵タンク３１、３２の制御によって個別的に設定された温度値を維持しながら、２個のドリッパーを同時または選択的に運用するように構成して、急速加熱ヒーターによって加熱された温水は、複数の貯蔵タンク３１、３２のうち１ヶ所を先に満たしてから残りの貯蔵タンクを満たすように構成されるが、各々の貯蔵タンク３１は給水された水が空きになるか満たされれば水位レベルセンサー３８が感知して３−Ｗａｙバルブ３５の方向を切り替えて、空いている所の貯蔵タンクに給水するように構成される。【選択図】図６
2016209519.tif 000002
【特許請求の範囲】
【請求項１】
外観を形成するボディーケースと、
前記ボディーケースの背面の内部に構成される急速加熱ヒーターと水タンクが一側の冷水流れ管によって連通され、前記冷水流れ管には冷水ソレノイドバルブによって冷水の流れが開閉されて、前記急速加熱ヒーターは冷水流れ管から供給された冷水をヒーターによって急速加熱して、一側の温水供給管を通じて排出されるように構成された、急速加熱アセンブリーと、
前記急速加熱ヒーターのヒーターによって急速加熱された温水は、２つの貯蔵タンクに連結されて分配制御する３−Ｗａｙバルブに繋がり、前記貯蔵タンクの各々は、貯蔵された温水を再加熱するカートリッジヒーター、再加熱された温水の温度を感知する温度測定センサー、供給される温水の量を制御する水位レベルセンサーを有し、底面の一側の排出口にノズルがそれぞれ繋がって構成された、タンクノズルアセンブリーと、
前記ボディーケースの前面に着脱自在に構成され、コーヒードリッパー及びコーヒーサーバーが据え置かれるように組み立てられる、プレートと、
前記ボディーケースの前面に、水の温度、水噴出量に対して間歇的に時間を調節する制御部が備えられた制御表示パネルと、
を備えることを特徴とする、自動ドリップコーヒーメーカー。
【請求項２】
前記冷水ソレノイドバルブは、チェックバルブを有し、前記急速加熱ヒーターによって加熱された水が前記水タンクへ逆流することを遮断するように構成されたことを特徴とする、請求項１に記載された自動コーヒードリップメーカー。
【請求項３】
前記ノズルの各々は、先端にドリップノズルの付いたドリップノズル管を有し、前記ドリップノズル管は、後端に接続されたエルボーに前記貯蔵タンクの排出口に接続された連結管に接続された熱水ソレノイドバルブに接続される連結ホースが接続されることを特徴とする、請求項１又は請求項２に記載された自動ドリップコーヒーメーカー。
【請求項４】
前記ノズル管のガイドには、先端のドリップノズルの位置選択を確認するマイクロスイッチが設置され、前記制御表示パネルの制御部と電気的に繋がるように構成されたことを特徴とする、請求項１乃至請求項３のいずれか一項に記載された自動ドリップコーヒーメーカー。
【請求項５】
前記プレートは、コーヒードリッパー及びコーヒーサーバーを支持し、左右の構造が同じであり、前記コーヒーサーバーが支持される回転板及び前記回転板を回転させる回転モーターから構成された回転手段と、前記回転モーターを支持する下板と、前記下板と組み立てられて外形を構成する回転板ケースと、を備えることを特徴とする、請求項１乃至請求項４のいずれか一項に記載された自動ドリップコーヒーメーカー。
【請求項６】
前記プレートには、給水量の設定のための電子秤機能を有するセンサーが設置されたことを特徴とする、請求項１乃至請求項５のいずれか一項に記載された自動ドリップコーヒーメーカー。
【請求項７】
前記制御部は、前記水位レベルセンサーによって流量を測定し、前記コーヒードリッパーに落とされる水を排出するノズルを制御して、水流の噴出を水流や水滴の形象に制御することを特徴とする、請求項１乃至請求項６のいずれか一項に記載された自動ドリップコーヒーメーカー。
【請求項８】
前記ドリップノズル管は、前記ドリップノズルによって前記プレートに支持されるコーヒーサーバーのコーヒードリッパーに落ちる水の供給パターンを形成するために、移動手段をさらに備えることを特徴とする、請求項５乃至請求項７のいずれか一項に記載された自動ドリップコーヒーメーカー。
【請求項９】
前記移動手段は、前記ドリップノズル管の長さ方向に沿って備えられるラックギアと、前記ラックギアにかみ合うように配置され、ステップモーターの回転によって前記ドリップノズル管を直進運動させるピニオンギアと、から構成されて、前記ピニオンギアの回転制御によって前記ドリップノズルの直線運動の位置を設定して、水の排出パターンを提供することを特徴とする、請求項８に記載された自動ドリップコーヒーメーカー。
【請求項１０】
前記ノズルの前記ドリップノズル管は、前記移動手段による直進運動の制御と同時に前記プレートの回転手段の制御と協働して、前記コーヒーサーバーの前記コーヒードリッパーに入れたコーヒー粉末に温水供給パターンの制御によってハンドドリップ方式でコーヒーを抽出することを特徴とする、請求項８又は請求項９に記載された自動ドリップコーヒーメーカー。
【請求項１１】
外観を形成するボディーケースと、
前記ボディーケースの背面の内部に構成される急速加熱ヒーターと水タンクが一側の冷水流れ管によって連通され、前記冷水流れ管には一方向弁を介して冷水が供給されて、前記急速加熱ヒーターは冷水流れ管から供給された冷水をヒーターによって急速加熱して、一側の温水供給管を通じて排出されるように構成された、急速加熱アセンブリーと、
前記急速加熱ヒーターのヒーターによって急速加熱された温水は、Ｔ字管を介して２つの貯蔵タンクにそれぞれ連結された左ソレノイドバルブと右ソレノイドバルブに繋がり、前記貯蔵タンクの各々は、貯蔵された温水を再加熱するカートリッジヒーター、再加熱された温水の温度を感知する温度測定センサー、供給される温水の量を制御する水位レベルセンサーを有し、底面の一側の排出口にノズルがそれぞれ繋がって構成された、タンクノズルアセンブリーと、
前記ボディーケースの前面に着脱自在に構成され、コーヒードリッパー及びコーヒーサーバーが据え置かれるように組み立てられる、プレートと、
前記ボディーケースの前面に、水の温度、水噴出量に対して間歇的に時間を調節する制御部が備えられた制御表示パネルと、
を備えることを特徴とする、自動ドリップコーヒーメーカー。
【請求項１２】
前記プレートは、コーヒードリッパー及びコーヒーサーバーを支持し、左右の構造が同じであり、前記コーヒーサーバーが支持される回転板及び前記回転板を回転させる回転モーターから構成された回転手段と、前記回転モーターを支持する下板と、前記下板と組み立てられて外形を構成する回転板ケースと、を備えることを特徴とする、請求項１１に記載された自動ドリップコーヒーメーカー。
【請求項１３】
前記ドリップノズル管は、前記ドリップノズルによって前記プレートに支持されるコーヒーサーバーのコーヒードリッパーに落ちる水の供給パターンを形成するために、移動手段をさらに備えることを特徴とする、請求項１２に記載された自動ドリップコーヒーメーカー。
【請求項１４】
前記移動手段は、前記ドリップノズル管の長さ方向に沿って備えられるラックギアと、前記ラックギアにかみ合うように配置され、ステップモーターの回転によって前記ドリップノズル管を直進運動させるピニオンギアと、から構成されて、前記ピニオンギアの回転制御によって前記ドリップノズルの直線運動の位置を設定して、水の排出パターンを提供することを特徴とする、請求項１３に記載された自動ドリップコーヒーメーカー。
【請求項１５】
前記ノズルの前記ドリップノズル管は、前記移動手段による直進運動の制御と同時に前記プレートの回転手段の制御と協働して、前記コーヒーサーバーの前記コーヒードリッパーに入れたコーヒー粉末に温水供給パターンの制御によってハンドドリップ方式でコーヒーを抽出することを特徴とする、請求項１２乃至請求項１４のいずれか一項に記載された自動ドリップコーヒーメーカー。
【発明の詳細な説明】
【技術分野】
【０００１】
本発明は、ハンドドリップコーヒー技術を機械的に自動化することで、初心者でもユーザーの好みに合うハンドドリップコーヒーをそのまま再現して製造ができるだけでなく、複数のリザーブタンクの運用と各々の制御によって、使用の際の迅速かつ便利な温水供給が保証され、装置の信頼性が保証される自動ドリップコーヒーメーカーに関するものである。
【背景技術】
【０００２】
ドリップコーヒー(Drip Coffee)とは、コーヒー豆を細かく砕いたコーヒー粉末に熱湯を注ぎながら濾したコーヒーのことを言う。
【０００３】
このようなハンドドリップコーヒー製造技術技術は、一般に、先に粉砕したコーヒー豆の粉を紙のフィルターに入れて、漏斗形状のコーヒードリッパーをコーヒーサーバー(コーヒーを落として受ける容器)に載せて置き、濾過紙をコーヒードリッパーに載せた状態で粉砕したコーヒー豆の粉を入れて、コーヒードリップポット(注ぎ口が細長い物)を手で持ち、水をドリップコーヒーメーカーの中央から内から外に円を描くように注ぎながら量を調節して、好きな量のコーヒーを抽出する。
【０００４】
そして、店舗では最も多く使用されるブルーワー(Brewer)マシンとエスプレッソマシンを利用しているが、最近ではコーヒー工場から抽出されたコーヒーエキスをカプセルに入れて作られた、カプセルに封入されたコーヒーエキスを機械で温水と混合させて簡単に作るカプセルコーヒーメーカーなどが開示されている。
【０００５】
しかし、これらの中でコーヒー成分の味をそのままユーザーが自分の好みに合わせて正確に抽出することは、手作業のハンドドリップ方式として、専門家によっておよそ１００年間使われてきた。
【０００６】
ハンドドリップ方式によるコーヒー抽出では、熱湯をポットに入れてコーヒードリッパー内に用意された濾過紙のコーヒー粉末の上にポットを持つ手で円形を描いたり、点を付けるような感じで、あるいはナメクジの模様など、自分の好みに合うパターンの形象通りに、ポットを持つ手首の動きの洗練した技術で、間歇的に水を落としながらコーヒーを抽出する。
【０００７】
既存のコーヒーメーカーは、水を落とす方法が連続的であるのに対して、ハンドドリップコーヒーを作る特徴は、水を落として一時停止したり再び作業するまでの間に時間間隔を維持したりといった間歇的に水を落とす特徴的な作業で、おいしいコーヒーが作られることである。
【０００８】
この時のドリップポットは、豆ごとの特徴によってユーザーが水流の太さを細く、あるいは太く水量を調節しながら、コーヒードリッパーの上にある濾過紙の粉末コーヒーに間歇的に水を注ぎ、その後１０〜３０秒間の時間差をおいて、水を落とす手動作を再び開始することよってコーヒーの味が良く抽出される技術である。
【０００９】
このように手動作の技術でドリップコーヒーを抽出する技術は、熟練度によって味が根本的に違ってくるだけでなく、水流の太さの調節と水を落とす間歇的な時間によって、コーヒーの味と香が良くなったり悪くなったりするという問題点がある。
【００１０】
特許文献１には、ドリッパーを円形または螺旋形で回転させながら、ホッパー内のコーヒー粉末及びお茶に水を提供することで、ハンドドリップコーヒーやお茶を製造して、ユーザーが選択したモードによっていつも同じ方式でドリップコーヒーやお茶を製造する技術が開示されている。
【００１１】
この特許文献１は、ハンドドリップコーヒーの原理を実現するためにドリッパーの回転と直線運動を制御する複数の駆動モーターを必ず備えることはもちろん、駆動手段の構成が複雑になることで機器の小型化が難しくなるという短所だけでなく、製造コストも上がることになる。
【００１２】
また、コーヒー粉末に供給される熱湯(摂氏９５度以上に加熱された水)の供給時に、随時にタンクに貯蔵された水を加熱して使うことで、長い加熱の消費時間が必要という短所がある。
【００１３】
さらに、単一のドリッパーを使うことで、多量のコーヒーを抽出するためには多くの時間が必要になるという短所がある。
【先行技術文献】
【特許文献】
【００１４】
【特許文献１】韓国登録特許第１０−０８９７９４８号公報
【発明の概要】
【発明が解決しようとする課題】
【００１５】
本発明は上述したような従来技術において問題となった短所を解消することを目的としている。
【００１６】
水の温度設定と加熱された水を正確にパターン形象通りに供給する動作及び水の給水タイミングと時間差の間隔などの精密制御によって、ハンドドリップコーヒーの味のために機械的に自動化した自動ドリップコーヒーメーカーを提供することにある。
【００１７】
また、本発明は構造を単純化したにもかかわらず、短時間で水を急速に沸騰させてすぐに使うことができ、コーヒー抽出の迅速性が保証される自動ドリップコーヒーメーカーを提供することにある。
【課題を解決するための手段】
【００１８】
上述した目的を達成するために、本発明に提示した自動ドリップコーヒーメーカーは、以下のような特徴を備えている。
【００１９】
急速加熱ヒーターと、これを通じて供給される加熱温水を貯蔵する複数の貯蔵タンクの制御によって、個別的に設定された温度値を維持しながら、２個のドリッパーノズルを同時または選択的に運用するように構成したことを特徴とする。
【００２０】
このような本発明は、急速加熱ヒーターによって加熱された温水は複数の貯蔵タンクのうちの１ヶ所を先に満たしてから、残りの貯蔵タンクを満たすように構成されるが、各々の貯蔵タンクは給水された水が空きになっているとか一杯になっていれば、水位レベルセンサーが感知して３−Ｗａｙバルブの方向を切り替え、空いている貯蔵タンクに給水されるように構成したことを特徴とする。
【００２１】
ここで、貯蔵タンクはカートリッジヒーター、温度センサー、水位レベルセンサーを備えて、ノズルに繋がった排出口を開閉する熱水ソレノイドバルブが制御部に電気的に繋がるように構成したことを特徴とする。
【００２２】
本発明で、各貯蔵タンクに備えられたノズルは、制御部によって先端のドリップノズルが直線運動で前・後進のドリップノズルの運動制御と同時に、コーヒードリッパー及びサーバーアセンブリーが支持されるプレートの回転板の正・逆転、停止、再動作の制御による組合せで、多様なハンドドリップコーヒーの抽出を提供することを特徴とする。
【発明の効果】
【００２３】
本発明によると、複数の貯蔵タンクの制御によって迅速なドリップコーヒーの抽出が可能で、製品の信頼性が保証される、という効果がある。
【００２４】
また、本発明によると、急速加熱ヒーターによって一時的に水が加熱され順次に２個の貯蔵タンクから供給されて、貯蔵タンクの各々に備えられたヒーターによって設定温度に予熱を持続することで、ドリップコーヒーの抽出のための水温度をいつも摂氏９５度以上に維持することで、長い加熱の消費による電力消費が少なく、経済的な利点と温水の供給が速い、という利点がある。
【００２５】
また、本発明によると、ドリップノズルの制御を単純に前・後進制御によって制御されて、ドリッパーとサーバーは回転制御によって多様なハンドドリップコーヒーの抽出方式を実現する、という効果がある。
【００２６】
また、本発明によると、ドリップノズルアセンブリーの直線運動とコーヒーサーバーの回転運動の単純組み合わせで、ハンドドリップコーヒー方式の実現が可能で、多くの部品が必要なく、故障発生の原因がないということで、製品の信頼性が保証される、という効果がある。
【００２７】
また、本発明によると、単一構成体での水の急速加熱と、急速加熱された温水を貯蔵する複数のタンク及び、各々の貯蔵タンクに備えられたドリップノズルの単純直進運動と、サーバーのプレートの会転運動を提供することで、製品のコンパクト化はもちろん、単純構成によって工業的にも量産効果を期待することができ、安価での提供が可能になる。
【図面の簡単な説明】
【００２８】
【図１】本発明の実施例１の自動ドリップコーヒーメーカーの斜視図である。
【図２】本発明の実施例１の自動ドリップコーヒーメーカーを構成するボディーケースの一部構成要素の分解斜視図である。
【図３】本発明の実施例１の自動ドリップコーヒーメーカーを構成するプレートをボディーケースから分離した状態の斜視図である。
【図４】本発明の実施例１の自動ドリップコーヒーメーカーのボディーケースから後板とカバーを分離して図示した背面方向の斜視図である。
【図５】本発明の実施例１の自動ドリップコーヒーメーカーを構成する急速加熱アセンブリーを分離して図示した斜視図である。
【図６】本発明の実施例１の自動ドリップコーヒーメーカーを構成するタンクノズルアセンブリーの背面方向から見た斜視図である。
【図７】本発明の実施例１の自動ドリップコーヒーメーカーを構成するタンクノズルアセンブリーの正面方向から見た斜視図である。
【図８】本発明の実施例１の自動ドリップコーヒーメーカーを構成するノズルの分離斜視図である。
【図９】本発明の実施例１の自動ドリップコーヒーメーカーを構成するプレート構成要素の分解斜視図である。
【図１０】本発明の実施例１の自動ドリップコーヒーメーカーを構成するプレート構成要素の他の実施例の分解斜視図である。
【図１１】本発明の実施例１の自動ドリップコーヒーメーカーの作動を説明するための水の流れ図である。
【図１２】本発明の実施例１の自動ドリップコーヒーメーカーを構成するノズルの水の流れ図である。
【図１３】本発明の実施例２の自動ドリップコーヒーメーカーの斜視図である。
【図１４】本発明の実施例２の自動ドリップコーヒーメーカーを構成するボディーケースの一部構成要素の分解斜視図である。
【図１５】本発明の実施例２の自動ドリップコーヒーメーカーの背面図である。
【図１６】本発明の実施例２の自動ドリップコーヒーメーカーのボディーケースから後板とカバーを分離して図示した背面方向から見た斜視図である。
【図１７】本発明の実施例２の自動ドリップコーヒーメーカーを構成する急速加熱アセンブリーを分離して図示した斜視図である。
【図１８】本発明の実施例２の自動ドリップコーヒーメーカーを構成するタンクノズルアセンブリーの背面方向から見た斜視図である。
【図１９】本発明の実施例２の自動ドリップコーヒーメーカーを構成するノズルの分離斜視図である。
【図２０】本発明の実施例２の自動ドリップコーヒーメーカーを構成するプレート構成要素の分解斜視図である。
【図２１】本発明の実施例２の自動ドリップコーヒーメーカーの作動を説明するための水の流れ図である。
【図２２】本発明の実施例２の自動ドリップコーヒーメーカーによって描くことのできるパターンの説明図である。
【図２３】本発明の実施例３の自動ドリップコーヒーメーカーの作動を説明するための水の流れ図である。
【発明を実施するための形態】
【００２９】
本発明は水の急速加熱ヒーティングと急速加熱された温水を２個の貯蔵タンクで設定温度に維持して、必要時に制御によって温水をサーバーに供給してドリップコーヒーを抽出するとともに、ハンドドリップ方式を実現するために、貯蔵タンクのドリップノズルが直進運動の制御と、プレートに支持されるサーバーの回転板の回転制御とが同時に実施されることで、多様なパターンを実現しながらドリップコーヒーを抽出することを特徴とする。
【００３０】
以下、添付の図面を参照して、本発明について詳しく説明する。
【００３１】
本発明の説明において、図面に提示された構成要素の構造と大きさは、発明の説明に問題にならない限り、単純化または簡略化することができる。
【実施例１】
【００３２】
図１は本発明の斜視図であり、図２は本発明を構成するボディーケースの一部構成要素の分解斜視図であり、図３は本発明を構成するプレートをボディーケースから分離した状態の斜視図であり、図４は本発明のボディーケースから後板とカバーを外して図示した背面方向からみた斜視図である。
【００３３】
これらの図面を参照すると、本発明の自動ドリップコーヒーメーカーは、射出成形品を組み立てて外観を形成するボディーケース１０と、ボディーケース１０の内部に配置される急速加熱ヒーター２１と、水タンク２２に備えられた急速加熱アセンブリー２０と、２個の貯蔵タンク３１、３２及び各々のノズル３３、３４に備えられたタンクノズルアセンブリー３０と、コーヒードリッパーＣ／Ｄと、コーヒーサーバーＣ／Ｓとが据え置かれ、ボディーケース１０の前方から着脱自在に組み立てられるプレート５０と、ボディーケース１０の前面に制御部が備えられた制御表示パネル６０と、から構成される。
【００３４】
ボディーケース１０は、内部の背面に急速加熱アセンブリー２０と、上部にタンクノズルアセンブリー３０と、が内設され、後板１１とカバー１２で完成される。
【００３５】
そして、プレート５０は、ボディーケース１０の前方に組み立てられ、左側板１３及び右側板１３によってプレート５０の左側及び右側への移動や離脱が防止される。
【００３６】
図５を参照すると、急速加熱アセンブリー２０は、急速加熱ヒーター２１と水タンク２２が一側の冷水流れ管２５によって連通されて構成される。この時、冷水流れ管２５の冷水の流れは、冷水ソレノイドバルブ２６によって開閉される。
【００３７】
そして、急速加熱ヒーター２１は、冷水流れ管２５から供給された冷水を急速に加熱して、一側の温水供給管２７を通じて排出する。
【００３８】
ここで、冷水ソレノイドバルブ２６には、チェックバルブ２６ａが取り付けられて（図１１を参照）、急速加熱ヒーター２１に配置されたヒーター２３によって水が沸くと、水タンク２２に向かって供給される水の流れを遮断する。
【００３９】
このように排出される温水は、タンクノズルアセンブリー３０の貯蔵タンク３１、３２に供給される。
【００４０】
また、急速加熱ヒーター２１は、２個の直列に繋がった自動温度調節機２４を備えているため、ヒーター２３の作動過程で異常（過熱）が発生すると、過熱による安全事故を防止する二重の安全装置として活用することができる。
【００４１】
一方、水タンク２２には、貯蔵量が充満すると、浄水器や水道に繋がったワンタッチコック２８が設置された連結ホース２９に供給される冷水を遮断するフローティングバルブＦ／Ｖが設置される。
【００４２】
図６乃至図８を参照すると、タンクノズルアセンブリー３０において、急速加熱アセンブリー２０によって急速加熱された温水を分配・制御する３−Ｗａｙバルブ３５が左右の貯蔵タンク３１、３２に繋がっている。
【００４３】
両側の貯蔵タンク３１、３２は、同じ構成要素で提供される。すなわち、貯蔵タンク３１、３２は、カートリッジヒーター３６、温度測定センサー３７、水位レベルセンサー３８を有する。
【００４４】
そして、貯蔵タンク３１、３２の底面の一側には排出口が設けられ、同じ構造のノズル３３、３４がそれぞれ接続される。
【００４５】
この時、ノズル３３、３４を構成するドリップノズル管４３は、先端に取り付けられたドリップノズル４５によってコーヒーサーバーＣ／Ｓ上のコーヒードリッパーＣ／Ｄに落ちる水の供給パターンを形成するように移動手段４０を備える。
【００４６】
移動手段４０は、ドリップノズル管４３の長さ方向に沿って備えられるラックギア４４と、このラックギア４４にかみ合うように配置されてステップモータ４１の回転によってドリップノズル管４３を直進運動させるピニオンギア４２と、から構成され、このピニオンギア４２の回転制御によってドリップノズル４５の直線運動の位置を設定し、水の排出パターンを提供することができる。
【００４７】
ここで、各々のドリップノズル管４３は、後端に接続されたエルボーに、左側・右側の貯蔵タンク３１、３２の排出口に接続される連結管４６と繋がっている熱水ソレノイドバルブ４７に接続された連結ホース４８によって連結される。
【００４８】
そして、各々のドリップノズル管４３には、直進運動を安定的に提供するようにノズル管ガイド４９が配置され、ボディーケース１０に組み込まれた状態で支持される。
【００４９】
また、ノズル管ガイド４９には先端のドリップノズル４５の位置選択を確認するマイクロスイッチＭ／Ｓが付着され、制御表示パネル６０と電気的に繋がっている。
【００５０】
本発明で提示された連結ホース４８は、無毒性のシリコーン材質で提供され、Ｕ字形に繋がれてドリップノズル管４３の前進・後進運動を制限することなく円滑にすることができる。
【００５１】
図９に図示されたように、プレート５０は、コーヒードリッパーＣ／ＤとコーヒーサーバーＣ／Ｓが支持される左側・右側の構造が同じ構造とされ、コーヒーサーバーＣ／Ｓを回転する回転手段５０Ａを備える。
【００５２】
回転手段５０Ａは、前記コーヒーサーバーＣ／Ｓが支持される回転板５２と、回転板５２を回転させる回転モーター５３と、から構成される。
【００５３】
この時、回転モーター５３は、下板５４に配置されて、下板５４と組み合わされる回転板ケース５１によって外形が完成する。
【００５４】
このようなプレート５０は、図１０に図示されたように、コーヒードリッパーＣ／Ｄに排出される水の給水があふれることを防止するために、回転板５２に電子秤５５を備え、設定された荷重値に到達すると、制御部の制御によってノズル３３、３４（熱水ソレノイドバルブ：４７）を制御して給水を遮断するようにすることが好ましい。
【００５５】
そして、プレート５０は、ボディーケース１０と分離（図３を参照）することが可能で、回転板５２は使用過程において洗浄のために回転モーター５３から垂直方向に離脱できるようにスプライン軸の結合構造となっている。
【００５６】
ここで、左側と右側のそれぞれの回転モーター５３は、制御表示パネル６０の内部に備えられた制御部（図示せず）と電気的に繋がって回転動作が制御される。
【００５７】
このような制御部の制御プログラムは広く知られたものだが、本発明では急速加熱アセンブリー２０を構成する冷水ソレノイドバルブ２６、ヒーター２３、自動温度調節機２４と、タンクノズルアセンブリー３０を構成する貯蔵タンク３１、３２の３−Ｗａｙバルブ３５、カートリッジヒーター３６及びノズル３３、３４を構成する移動手段４０のステップモータ４１、熱水ソレノイドバルブ４７と、プレート５０を構成する回転手段５０Ａの回転モーター５３を制御し、水の温度、水噴出量、間歇的時間、調節が各々に備えられたセンサーによって一連的に提供され、コーヒードリッパーＣ／Ｄに落とされる水流の形象または水玉の形象で落とされるように制御することで、ハンドドリップコーヒー方式の技術が多様に実現される。
【００５８】
本発明は図１１及び図１２に図示されたように、ボディーケース１０の前面制御表示パネル６０の操作によって、給水された冷水を急速加熱アセンブリー２０→タンクノズルアセンブリー３０→プレート５０のコーヒードリッパーＣ／Ｄにプログラム化されたパターンによって熱水(摂氏９５度以上に加熱された水)を供給してコーヒーサーバーＣ／Ｓにドリップコーヒーを抽出する。
【００５９】
浄水器または水道にワンタッチコック２８によって連結ホース２９で繋がる水タンク２２に供給された冷水は、冷水流れ管２５によって冷水ソレノイドバルブ２６の制御部と電気的に繋がった一側のコントロールユニット７０の制御によって急速加熱ヒーター２１に供給される。
【００６０】
このように供給された冷水は、アルミニウム材質の冷水流れ管２５を通じて急速加熱ヒーター２１を経由しながら急速に加熱される。
【００６１】
このような過程において、冷水ソレノイドバルブ２６に備えられたチェックバルブ２６ａによって、急速加熱ヒーター２１で急速に加熱された水が水タンク２２に逆流することを遮断する。
【００６２】
しかし、急激に温度が上昇された水は、圧力差によって上昇して一側の温水供給管２７に沿って上部のタンクノズルアセンブリー３０の貯蔵タンク３１、３１に供給される。
【００６３】
すなわち、急速加熱された温水は分配制御する３−Ｗａｙバルブ３５の制御によって左右の貯蔵タンク３１、３２のうち空いている所の貯蔵タンクに供給される。
【００６４】
このように供給された温水は、貯蔵タンク３１、３２に備えられたカートリッジヒーター３６、温度測定センサー３７、水位レベルセンサー３８によって設定された熱水の温度を維持する。
【００６５】
当然ながら、この時には制御部（図示しない）によって排出口に接続された連結管４６に組み込まれた熱水ソレノイドバルブ４７は閉鎖されたままである。
【００６６】
このような制御は一時的に急速加熱ヒーター２１によって摂氏９０度〜９５度に加熱されて上昇しながら、外部温度との熱交換によって下降されるが、コーヒー抽出には適合しないため、再加熱によってドリップ時にお好みの温度を制御表示パネル６０による制御でカートリッジヒーター３６を動作させ、温度測定センサー３７によって設定温度を維持することになる。
【００６７】
そして、水位レベルセンサー３８は、貯蔵タンク３１（又は３２）に供給された温水が設定レベルになると、３−Ｗａｙバルブ３５を切り替えて空いている貯蔵タンク３２（又は３１）に温水を供給して、充満されると急速加熱アセンブリー２０の急速加熱ヒーター２１と冷水ソレノイドバルブ２２の動作をオフにする。
【００６８】
コーヒー抽出のために、タンクノズルアセンブリー３０を構成する貯蔵タンク３１、３２の熱水ソレノイドバルブ４７を開放後、温水をノズル３３（又は３４）を通じて排出して、コーヒードリッパーＣ／Ｄに供給する。
【００６９】
各々のノズル３３、３４は移動手段４０の制御、すなわちステップモータ４１の動作によってピニオンギア４２にかみ合ったラックギア４４が直進(前進又は後進)して、ドリップノズル管４３の先端に備えられたドリップノズル４５を通じて熱水が排出される。
【００７０】
このような動作と同時に、プレート５０のコーヒーサーバーＳ／Ｄを支持させた回転板５２の回転を回転モーター５３の回転制御を並行し、制御表示パネル６０の制御部によってプログラム化されたパターン形式通りに、コーヒードリッパーＣ／Ｄ上に温水を滴下してコーヒーサーバーＣ／Ｓにコーヒーを抽出する。
【００７１】
パターンのためには、ドリップノズル４５の直線運動が停止した状態でプレート５０の回転手段５０Ａの制御で、回転板５２に載せられたコーヒーサーバーＣ／Ｓが回転する時は、円を描きながら抽出するパターンになって、ドリップノズル４５を少しずつ前進・後進に制御しながら、回転手段５０Ａの制御でコーヒードリッパーＣ／Ｄを回転する方式によって、他のパターン形象にドリップコーヒーの抽出が提供される。
【００７２】
制御表示パネル６０には、左側及び右側に４個のボタン(合計８個)が配置され、サーバーの容量、コーヒードリッパーＣ／Ｄのサイズパターンと水を注ぐ間隔などのそれぞれ違う内容のプログラムを左側グループに４個、右側グループに４個を保存し、ユーザーの判断によって該当ボタンを押すと、自動にコーヒーを抽出し自動オフされる機能が提供される。
【００７３】
プログラム化は、プログラムの遂行ボタンでデータを入力後、保存番号ボタンを選択入力して保存するが、これは随時に修正して保存することができる。
【００７４】
このような制御は通常よく知られた技術に過ぎないので、詳しい説明は省略しても本発明の要旨を把握するためには問題にならない。
【実施例２】
【００７５】
本実施例では、実施例１とは異なる形態の自動ドリップコーヒーメーカーについて、図１３〜２２を用いて説明する。実施例１で説明した内容と同一乃至均等な部分の説明については同一符号を付して説明する。
【００７６】
（構成）
まず、構成について説明する。図１３〜２２に示すように、本実施例の自動ドリップコーヒーメーカーは、実施例１と略同様に、ボディーケース１０と、急速加熱ヒーター２１と、水タンク２２に備えられた急速加熱アセンブリー２０と、２個の貯蔵タンク３１、３２及び各々のノズル３３、３４に備えられたタンクノズルアセンブリー３０と、コーヒードリッパーＣ／Ｄ及びコーヒーサーバーＣ／Ｓが据え置かれてボディーケース１０の前方から着脱自在に組み立てられるプレート５０と、ボディーケース１０の前面に制御部を有する制御表示パネル６０と、から主に構成される。以下では、実施例１と異なる構成要素について説明する。
【００７７】
急速加熱アセンブリー２０においては、急速加熱ヒーター２１と水タンク２２は、冷水流れ管２５によって接続される。急速加熱ヒーター２１は、冷水流れ管２５を通じて供給された冷水を急速に加熱し、温水供給管２７を通じて排出する。
【００７８】
急速加熱ヒーター２１は、実施例１では縦置きされていたのに対して、本実施例では横置きされている。すなわち、ヒーター２３による加熱経路が水平面内に広がっている。この横置き配置によって、急速加熱ヒーター２１と貯蔵タンク３１、３２の距離を大きくとることができる。したがって、温水供給管２７の内部において、上流部と下流部で圧力差を生じさせて、いわゆるサイフォンの原理によって、温水を貯蔵タンク３１、３２に上昇させる。
【００７９】
他方、冷水流れ管２５の上端近傍には一方向弁２６ａが取り付けられており（図１７を参照）、急速加熱ヒーター２１に配置されたヒーター２３によって水が沸騰しても、水タンク２２に向かって流れないように遮断する。
【００８０】
そして、温水供給管２７の終端は、Ｔ字管３５Ｃを介して２方向に分岐され、それぞれ左ソレノイドバルブ３５Ａと右ソレノイドバルブ３５Ｂを介して左右の貯蔵タンク３１、３２に繋がっている。左右のソレノイドバルブ３５Ａ、３５Ｂは、急速加熱ヒーター２１と連動して開閉制御されることで、急速加熱ヒーター２１によって加熱された温水を貯蔵タンク３１、３２に導入する。
【００８１】
この他の構成、すなわち移動手段４０や回転手段５０Ａなどの構成については、実施例１と略同様であるため説明を省略する。
【００８２】
（作用）
次に、本実施例の自動ドリップコーヒーメーカーの作用について説明する。
【００８３】
本実施例の自動ドリップコーヒーメーカーは、直進動作と回転動作とを並行実施することで、プログラムされたハンドドリップ方式と同様のパターン形象の通りに、コーヒードリッパーＣ／Ｄ上に温水を滴下してコーヒーサーバーＣ／Ｓにコーヒーを抽出する。
【００８４】
例えば、図２２（ａ）に示すようにらせん状のパターンを描く場合には、熱水ソレノイドバルブ４７を開いて熱湯を注いでいる状態で、移動手段４０によってドリップノズル４５を少しずつ前進（又は後進）制御しながら、回転手段５０ＡによってコーヒードリッパーＣ／Ｄを回転制御する。
【００８５】
図２２（ｂ）に示すようにらせん状のパターンに加えて点状（水玉状）散布をする場合には、まず（ｄ）で説明するように、移動手段４０及び回転手段５０Ａによってドリップノズル４５の位置を移動させた後に、熱水ソレノイドバルブ４７を所定時間だけ開いて点状に熱湯を注ぐ動作を繰り返す。次に、（ａ）で説明したように、熱水ソレノイドバルブ４７を開いた状態で、移動手段４０及び回転手段５０Ａによってらせん状のパターンを描く。
【００８６】
図２２（ｃ）に示すように同心円状のパターンを描く場合には、移動手段４０によってドリップノズル４７を少し前進（又は更新）制御したうえで静止させた後に、熱水ソレノイドバルブ４７を開いた状態で回転手段５０ＡによってコーヒードリッパーＣ／Ｄを回転制御する。このように、前進と、その後の注ぎながらの回転と、を繰り返すことによって同心円を描く。
【００８７】
図２２（ｄ）に示すように中心点への多量の点状散布に加えて周囲に少量の点状散布をする場合には、移動手段４０及び回転手段５０Ａによってドリップノズル４５の位置を移動させた後に、熱水ソレノイドバルブ４７を所定時間だけ開いて点状に熱湯を注ぐ動作を繰り返す。そして、ドリップノズル４５を中心に移動させたうえで、熱水ソレノイドバルブ４７をやや長い時間だけ開いて中央に点状に熱湯を注ぐ。
【００８８】
（効果）
次に、本実施例の自動ドリップコーヒーメーカーの奏する効果を列挙して説明する。
【００８９】
（１）以上に説明してきたように、本実施例の自動ドリップコーヒーメーカーは、外観を形成するボディーケース１０と、ボディーケース１０の背面の内部に構成される急速加熱ヒーター２１と水タンク２２が一側の冷水流れ管２５によって連通され、冷水流れ管２５には一方向弁２６Ａを介して冷水が供給されて、急速加熱ヒーター２１は冷水流れ管２５から供給された冷水をヒーター２３によって急速加熱して、一側の温水供給管２７を通じて排出されるように構成された、急速加熱アセンブリー２０と、急速加熱ヒーター２１のヒーター２３によって急速加熱された温水は、Ｔ字管３５Ｃを介して２つの貯蔵タンク３２、３１にそれぞれ連結された左ソレノイドバルブ３５Ａと右ソレノイドバルブ３５Ｂに繋がり、貯蔵タンク３１、３２の各々は、貯蔵された温水を再加熱するカートリッジヒーター３６、再加熱された温水の温度を感知する温度測定センサー３７、供給される温水の量を制御する水位レベルセンサー３８を有し、底面の一側の排出口にノズル３４、３３がそれぞれ繋がって構成された、タンクノズルアセンブリー３０と、ボディーケース１０の前面に着脱自在に構成され、コーヒードリッパーＣ／Ｄ及びコーヒーサーバーＣ／Ｓが据え置かれるように組み立てられる、プレート５０と、ボディーケース１０の前面に、水の温度、水噴出量に対して間歇的に時間を調節する制御部が備えられた制御表示パネル６０と、を備えている。このような構成によって、本発明の自動ドリップコーヒーメーカーは、水の温度設定と加熱された水を正確にパターン形象通りに供給する動作及び水の給水タイミングと時間差の間隔などの精密制御によって、ハンドドリップコーヒーの味を再現することができる。また、本発明の自動ドリップコーヒーメーカーは、構造を単純化したにもかかわらず、短時間で水を急速に沸騰させてすぐに使うことができ、コーヒーを迅速に抽出することができる。
【００９０】
上述した構成を備えているため、本発明の自動ドリップコーヒーメーカーは、以下に列挙する効果を奏する。（イ）２つの小型のモーターと１つのラック−ピニオンによって、手の動きを完全に再現できる。したがって、メインテナンスも容易である。（ロ）１つの急速加熱アセンブリと２つの貯蔵タンクで２つの作動システム群を構成できる。（ハ）断続的なドリップと時間間隔によって手によるドリップを再現するため、正確な再現が可能である。（ニ）２つの貯蔵タンクは左右で温度を変えることで、顧客の好みに合わせることができる。（ホ）最適な４つのパターン形象を記憶することで、熟練者よりも正確に技巧的なドリップを再現できる。（ヘ）制御表示パネルのボタンを押して右か左のボタンを押せば、パターン番号と水量とが表示されるため、メモなどをとって記録する必要はない。
【００９１】
（２）また、プレート５０は、コーヒードリッパーＣ／Ｄ及びコーヒーサーバーＣ／Ｓを支持し、左右の構造が同じであり、コーヒーサーバーＣ／Ｓが支持される回転板５２及び回転板５２を回転させる回転モーター５３から構成された回転手段５０Ａと、回転モーター５３を支持する下板５４、下板５４と組み立てられて外形を構成する回転板ケース５１と、を備えている。このため、ドリップノズル４５を、回転方向の任意の位置に移動させることができる。
【００９２】
（３）ドリップノズル管４３は、ドリップノズル４５によってプレート５０に支持されるコーヒーサーバーＣ／ＳのコーヒードリッパーＣ／Ｄに落ちる水の供給パターンを形成するために、移動手段４０をさらに備えている。このため、回転方向に加えて移動手段４０の移動方向にもドリップノズル４５を直線的に移動させることができる。
【００９３】
（４）移動手段４０は、ドリップノズル管４３の長さ方向に沿って備えられるラックギア４４と、ラックギア４４にかみ合うように配置され、ステップモーター４１の回転によってドリップノズル管４３を直進運動させるピニオンギア４２と、から構成されて、ピニオンギア５２の回転制御によってドリップノズル４５の直線運動の位置を設定して、水の排出パターンを提供するようになっている。このため、ドリップノズル４５を、ドリップノズル管４３の長さ方向に沿って任意の位置に移動させることができる。
【００９４】
（５）ノズル３３、３４のドリップノズル管４３は、移動手段４０による直進運動の制御と同時にプレート５０の回転手段５０Ａの制御と協働して、コーヒーサーバーＣ／ＳのコーヒードリッパーＣ／Ｄに入れたコーヒー粉末に温水供給パターンの制御によって、ハンドドリップ方式を再現してコーヒーを抽出することができる。このように、直進運動と回転運動とを組み合わせることによって、コーヒードリッパーＣ／Ｄに入れたコーヒー粉末上の任意の位置にドリップノズル４５を移動させて、多様なパターン形象に沿って熱湯を注ぐことができる。
【００９５】
この他の構成および作用効果については、実施例１と略同様であるため説明を省略する。
【実施例３】
【００９６】
本実施例では、実施例２とは異なる構成要素を有する自動ドリップコーヒーメーカーについて、図２３を用いて説明する。実施例１、２で説明した内容と同一乃至均等な部分の説明については同一符号を付して説明する。
【００９７】
ここでは、実施例２と異なる構成について説明する。本実施例では、左ソレノイドバルブ３５Ａ及び右ソレノイドバルブ３５Ｂとして、交流（ＡＣ）ソレノイドバルブを用いている。これにより、直流（ＤＣ）ソレノイドバルブと比べて信頼性が高くなる。すなわち、交流ソレノイドバルブを用いることで、可動鉄芯を吸引する力が一定となるうえ、動作速度も速くなる。
【００９８】
また、実施例２と異なり、急速加熱ヒーター２１が縦置きされている。すなわち、ヒーター２３による加熱経路が垂直面内に広がっている。この縦置き配置によって、急速加熱ヒーター２１と貯蔵タンク３１、３２の距離は短くなるものの、水の循環がスムーズになる。すなわち、管内に滞留する水の量が少なくなることで、加熱後に貯蔵タンク３１、３２方向へ流れる水量が多くなる。
【００９９】
この他の構成および作用効果については、実施例１、２と略同様であるため説明を省略する。
【０１００】
このように、本発明の詳しい説明において具体的な実施例について説明したが、本発明の範疇から脱しない限度内で多様な変形が可能であることは勿論である。本発明の範囲は説明された実施例に限定されるものではなく、後述する特許請求の範囲だけでなく、特許請求の範囲と均等なものなども含まれる。
【０１０１】
以上で説明した本発明は、その権利要旨で請求された特許請求の範囲の思想及び範囲内で多様な変更及び修正が可能である。
【０１０２】
例えば、実施例２では、図２２（ａ）〜（ｄ）のようなパターン形象で熱湯を注ぐ場合について説明したが、これに限定されるものではない。ドリップノズル４５の直進移動とコーヒードリッパーＣ／Ｄの回転移動とを調和させることによって、斜めの直線や曲線なども描くことができる。したがって、三角形、星形など、どのような形状であっても描くことができる。
【０１０３】
また、実施例１〜３では、様々な要素を有する自動コーヒードリップメーカーについて説明したが、これに限定されるものではない。例えば、実施例３の交流ソレノイドバルブを実施例１、２の自動コーヒードリップメーカーに適用することもできる。
【符号の説明】
【０１０４】
１０：ボディーケース、１１：後板、１２：カバー、１３：側板
２０：急速加熱アセンブリー、２１：急速加熱ヒーター、２２：水タンク、２３：ヒーター、２４：自動温度調節機、２５：冷水流れ管、２６：冷水ソレノイドバルブ、２６ａ：チェックバルブ、２７：温水供給管、２８：ワンタッチコック、２９：連結ホース
３０：タンクノズルアセンブリー、３１、３２：貯蔵タンク、３３、３４：ノズル、３５：３−Ｗａｙバルブ、３６：カートリッジヒーター、３７：温度測定センサー、３８：水位レベルセンサー
４０：移動手段、４１：ステップモーター、４２：ピニオンギア、４３：ドリップノズル管、４４：ラックギア、４５：ドリップノズル、４６：連結管、４７：熱水ソレノイドバルブ、４８：連結ホース、４９：ノズル管ガイド
５０：プレート、５０Ａ：回転手段、５１：回転板ケース、５２：回転板、５３：回転モーター、５４：下板、５５：電子秤
６０：制御表示パネル、Ｃ／Ｄ：コーヒードリッパー、Ｃ／Ｓ：コーヒーサーバー
２６Ａ：一方向弁、３５Ａ：左ソレノイドバルブ、３５Ｂ：右ソレノイドバルブ、３５Ｃ：Ｔ字管
【図１】
2016209519.tif 000003
【図２】
2016209519.tif 000004
【図３】
2016209519.tif 000005
【図４】
2016209519.tif 000006
【図５】
2016209519.tif 000007
【図６】
2016209519.tif 000008
【図７】
2016209519.tif 000009
【図８】
2016209519.tif 000010
【図９】
2016209519.tif 000011
【図１０】
2016209519.tif 000012
【図１１】
2016209519.tif 000013
【図１２】
2016209519.tif 000014
【図１３】
2016209519.tif 000015
【図１４】
2016209519.tif 000016
【図１５】
2016209519.tif 000017
【図１６】
2016209519.tif 000018
【図１７】
2016209519.tif 000019
【図１８】
2016209519.tif 000020
【図１９】
2016209519.tif 000021
【図２０】
2016209519.tif 000022
【図２１】
2016209519.tif 000023
【図２２】
2016209519.tif 000024
【図２３】
2016209519.tif 000025